【手続補正書】
【提出日】令和2年10月20日(2020.10.20)
【手続補正１】
【補正対象書類名】特許請求の範囲
【補正対象項目名】全文
【補正方法】変更
【補正の内容】
【特許請求の範囲】
【請求項１】
印刷手段と、
入力ページ画像が、オブジェクトを含まないページ画像であるか否かを推定する推定手段と、
オブジェクトを含まないページ画像であると推定された入力ページ画像に対応するシートに所定タイプの画像を印刷するか否かを、ユーザ操作に基づき設定する設定手段と、
複数の入力ページ画像を印刷する場合に、
オブジェクトを含まないページ画像であると推定された入力ページ画像に対応するシートに前記所定タイプの画像を印刷しないことが設定されていれば、前記推定においてオブジェクトを含まないページ画像ではないと推定された第１のタイプの入力ページ画像については、前記入力ページ画像を前記所定タイプの画像と共にシート上に印刷する印刷処理を実行し、かつ、当該印刷処理が行われた当該シートを出力するよう前記印刷手段を制御し、前記推定においてオブジェクトを含まないページ画像であると推定された第２のタイプの入力ページ画像については、シートに対して印刷処理を実行せずに当該シートを出力するよう前記印刷手段を制御し、
オブジェクトを含まないページ画像であると推定された入力ページ画像に対応するシートに前記所定タイプの画像を印刷することが設定されていれば、前記推定においてオブジェクトを含まないページ画像であると推定された第２のタイプの入力ページ画像について、当該入力ページ画像を前記所定タイプの画像と共にシート上に印刷する印刷処理を実行し、かつ、当該印刷処理が行われた当該シートを出力するよう前記印刷手段を制御する制御手段と、
を有することを特徴とする画像形成装置。
【請求項２】
原稿の画像を読み取って前記入力ページ画像の画像データを生成する読取手段を更に有することを特徴とする請求項１記載の画像形成装置。
【請求項３】
外部装置から通信インタフェースを介して前記入力ページ画像の画像データを受信する受信手段を更に有することを特徴とする請求項１又は２に記載の画像形成装置。
【請求項４】
前記設定手段は、オブジェクトを含まないページ画像であると推定された入力ページ画像に対して前記所定タイプの画像をシートに印刷するか否かの設定をユーザから受け付けるための設定画面を、前記画像形成装置の表示部に表示する
ことを特徴とする請求項１から３のいずれか１項に記載の画像形成装置。
【請求項５】
前記所定タイプの画像は、ページ番号、印刷部数、日付、又はスタンプの画像である
ことを特徴とする請求項１から４のいずれか１項に記載の画像形成装置。
【請求項６】
前記所定タイプの画像は、ページ番号の画像であり、
前記制御手段は、複数の入力ページ画像を印刷する場合に、
前記推定においてオブジェクトを含まないページ画像でないと推定された前記第１のタイプの入力ページ画像については、当該入力ページ画像及び当該入力ページ画像に対応するページ番号を示す画像をシート上に印刷する印刷処理を実行し、かつ、当該印刷処理が行われた当該シートを出力するよう前記印刷手段を制御するとともに、次の入力ページ画像の印刷のために保持しているページ番号を１増加させ、
前記推定においてオブジェクトを含まないページ画像であると推定された前記第２のタイプの入力ページ画像については、当該入力ページ画像に対応する出力物として、前記印刷手段によって当該入力ページ画像及び当該入力ページ画像に対応するページ番号を示す画像の印刷処理が行われてないシートを出力するよう前記印刷手段を制御し、
前記制御手段は、前記第２のタイプの入力ページ画像について印刷処理を実行しない場合であっても、前記次の入力ページ画像の印刷のために保持しているページ番号を１増加させる
ことを特徴とする請求項１から５のいずれか１項に記載の画像形成装置。
【請求項７】
前記第２のタイプの入力ページ画像に対して前記印刷処理が実行されずにシートが出力されても、当該出力の結果は前記画像形成装置における印刷に対する課金に用いられない
ことを特徴とする請求項１から６のいずれか１項に記載の画像形成装置。
【請求項８】
入力ページ画像が、オブジェクトを含まないページ画像であるか否かを推定する工程と、
オブジェクトを含まないページ画像であると推定された入力ページ画像に対応するシートに所定タイプの画像を印刷するか否かを、ユーザ操作に基づき設定する工程と、
複数の入力ページ画像を印刷する場合に、
オブジェクトを含まないページ画像であると推定された入力ページ画像に対応するシートに前記所定タイプの画像を印刷しないことが設定されていれば、前記推定においてオブジェクトを含まないページ画像ではないと推定された第１のタイプの入力ページ画像については、前記入力ページ画像を前記所定タイプの画像と共にシート上に印刷する印刷処理を実行し、かつ、当該印刷処理が行われた当該シートを出力し、前記推定においてオブジェクトを含まないページ画像であると推定された第２のタイプの入力ページ画像については、シートに対して印刷処理を実行せずに当該シートを出力する工程と、
オブジェクトを含まないページ画像であると推定された入力ページ画像に対応するシートに前記所定タイプの画像を印刷することが設定されていれば、前記推定においてオブジェクトを含まないページ画像であると推定された第２のタイプの入力ページ画像について、当該入力ページ画像を前記所定タイプの画像と共にシート上に印刷する印刷処理を実行し、かつ、当該印刷処理が行われた当該シートを出力する工程と、
を有することを特徴とする画像形成方法。
【請求項９】
請求項８に記載の画像形成方法の各工程をコンピュータに実行させるためのプログラム。
【手続補正２】
【補正対象書類名】明細書
【補正対象項目名】０００７
【補正方法】変更
【補正の内容】
【０００７】
本発明の一態様に係る画像形成装置は、印刷手段と、入力ページ画像が、オブジェクトを含まないページ画像であるか否かを推定する推定手段と、オブジェクトを含まないページ画像であると推定された入力ページ画像に対応するシートに所定タイプの画像を印刷するか否かを、ユーザ操作に基づき設定する設定手段と、複数の入力ページ画像を印刷する場合に、オブジェクトを含まないページ画像であると推定された入力ページ画像に対応するシートに前記所定タイプの画像を印刷しないことが設定されていれば、前記推定においてオブジェクトを含まないページ画像ではないと推定された第１のタイプの入力ページ画像については、前記入力ページ画像を前記所定タイプの画像と共にシート上に印刷する印刷処理を実行し、かつ、当該印刷処理が行われた当該シートを出力するよう前記印刷手段を制御し、前記推定においてオブジェクトを含まないページ画像であると推定された第２のタイプの入力ページ画像については、シートに対して印刷処理を実行せずに当該シートを出力するよう前記印刷手段を制御し、オブジェクトを含まないページ画像であると推定された入力ページ画像に対応するシートに前記所定タイプの画像を印刷することが設定されていれば、前記推定においてオブジェクトを含まないページ画像であると推定された第２のタイプの入力ページ画像について、当該入力ページ画像を前記所定タイプの画像と共にシート上に印刷する印刷処理を実行し、かつ、当該印刷処理が行われた当該シートを出力するよう前記印刷手段を制御する制御手段と、を有することを特徴とする。
【手続補正３】
【補正対象書類名】明細書
【補正対象項目名】０００８
【補正方法】削除
【補正の内容】
【手続補正４】
【補正対象書類名】明細書
【補正対象項目名】００３４
【補正方法】変更
【補正の内容】
【００３４】
本実施形態では、白紙原稿に対応する印刷対象のシートにページ番号を印刷しない非印刷設定を可能にすることで、印刷物４３０のような印刷物を出力可能にする。具体的には、白紙判定部２０４は、コピー対象の原稿の画像の読み取りによって生成された入力画像が白紙に相当するか否かを判定する。ＣＰＵ１０１は、白紙判定部２０４による判定の結果に従って、入力画像をページ番号（所定の画像）とともにシートに印刷し、当該シートを出力するよう、プリンタ１１２を制御する。その際、ＣＰＵ１０１は、白紙に相当すると判定された入力画像については、ページ番号が印刷されていないシートを出力するよう、プリンタ１１２を制御する。
【手続補正５】
【補正対象書類名】明細書
【補正対象項目名】００５８
【補正方法】変更
【補正の内容】
【００５８】
以上説明したように、本実施形態では、白紙判定部２０４は、コピー対象の原稿の画像の読み取りによって生成された入力画像が白紙に相当するか否かを判定する。ＣＰＵ１０１は、白紙判定部２０４による判定の結果に従って、入力画像をページ番号とともにシートに印刷し、当該シートを出力するよう、プリンタ１１２を制御する。その際、ＣＰＵ１０１は、白紙に相当すると判定された入力画像については、ページ番号が印刷されていないシートを出力するよう、プリンタ１１２を制御する。これにより、入力画像の印刷時に所定の画像（ページ番号等）を付加的に印刷する機能を有する画像形成装置において、白紙原稿については白紙のページを出力しつつ、原稿の並び順で印刷を行うことが可能になる。
【手続補正６】
【補正対象書類名】明細書
【補正対象項目名】００５９
【補正方法】変更
【補正の内容】
【００５９】
また、上述の実施形態では、設定画面３５０の選択ボタン３５６を用いて、ページ番号等の所定の画像を、白紙判定部２０４によって白紙に相当すると判定される入力画像とともにシートに印刷するか否かの設定をユーザから受け付ける例を説明している。この場合、ＣＰＵ１０１は、ユーザから受け付けられた設定に従って、白紙に相当する入力画像と所定の画像とが印刷されたシートを出力するか、所定の画像が印刷されていないシートを印刷するかを制御する。一実施形態では、所定の画像が印刷されていないシートとは、白紙に相当する入力画像と所定の画像とが印刷されていないシートである。このように、ＣＰＵ１０１は、白紙原稿について、ユーザによる設定に従って、白紙のページを出力するか、所定の画像が印刷されたページを出力するかを制御する。これにより、入力画像の印刷時に所定の画像（ページ番号等）を付加的に印刷する機能を有する画像形成装置において、ユーザが期待するとおりに、白紙原稿については白紙のページを出力しつつ、原稿の並び順で印刷を行うことが可能になる。